(57)【要約】【課題】録画操作用リモコンにおいて、携帯電話機を接続可能としてタイマ予約録画のための番組情報のキー入力操作を不要とし、また、携帯電話機の接続を簡単な構造で実現できる。【解決手段】録画操作用リモコン１は、リモコン本体２の一端側に軸支されて回転により開閉自在とされた蓋部６と、携帯電話機５０のデータ通信用の信号出力端子５１を接続するためのコネクタ８とを備えている。コネクタ８は、蓋部６の内面に設けられ、蓋部６が開けられたとき露出するように配置されている。蓋部６は、コネクタ８に接続される携帯電話機５０の姿勢を保持させるための仕切壁９ａ、９ｂを有している。録画操作用リモコン１は、コネクタ８に携帯電話機５０を接続することにより、携帯電話機５０にてインターネット上からダウンロードしたタイマ予約録画のための番組情報を転送することができる。【選択図】      図３
2004180093.tif 000002
【特許請求の範囲】
【請求項１】
テレビ放送番組の録画を行う録画装置によるタイマ予約録画のためにユーザにより操作される操作キーと、この操作キーの操作に基づいてタイマ予約録画のための予約信号を生成し記憶する記憶手段と、前記予約信号を前記操作キーの操作に応じて録画装置に転送する信号転送手段とを備えた録画操作用リモコンにおいて、
リモコン本体の一端側に軸支されて回転により開閉自在とされた蓋部と、
タイマ予約録画のための番組情報を通信により取得可能な携帯電話機のデータ通信用の信号出力端子を接続するためのコネクタとを備え、
前記コネクタは、前記蓋部の内面に設けられ、前記蓋部が開けられたとき露出するように配置されており、
前記蓋部は、前記コネクタに接続される前記携帯電話機の姿勢を保持させるための仕切壁を有しており、
前記携帯電話機から前記コネクタを通じて、前記タイマ予約録画のための番組情報をリモコン本体側に転送すると共に、この番組情報から前記予約信号を生成し、前記記憶手段に記憶するようにしたことを特徴とする録画操作用リモコン。
【請求項２】
テレビ放送番組の録画を行う録画装置によるタイマ予約録画のためにユーザにより操作される操作キーと、この操作キーの操作に基づいてタイマ予約録画のための予約信号を生成し記憶する記憶手段と、前記予約信号を前記操作キーの操作に応じて録画装置に転送する信号転送手段とを備えた録画操作用リモコンにおいて、
タイマ予約録画のための番組情報を通信により取得可能な携帯電話機のデータ通信用の信号出力端子を接続するためのコネクタを備え、
前記携帯電話機から前記コネクタを通じて、前記タイマ予約録画のための番組情報をリモコン本体側に転送するようにしたことを特徴とする録画操作用リモコン。
【請求項３】
開閉自在とされた蓋部をさらに備え、
前記コネクタは、前記蓋部の内面又はリモコン本体に設けられ、前記蓋部が開けられたとき露出するように配置されていることを特徴とする請求項２に記載の録画操作用リモコン。
【発明の詳細な説明】
【０００１】
【発明の属する技術分野】
本発明は、テレビ番組を録画するビデオテープレコーダやＰＶＲ（プライベートビデオレコーダ）等の録画装置の録画操作用リモコンに関する。
【０００２】
【従来の技術】
従来から、テレビ番組を録画するビデオテープレコーダやＰＶＲ等の録画装置は、テレビ番組の放送チャンネルや放送時間帯等を入力することで、タイマ予約録画を行えるようになっている。このタイマ予約録画の設定は、一般に、録画操作用リモコンを用いて行われる。録画操作用リモコンは、ユーザにより操作される操作キーを備えており、この操作キーを操作することにより、テレビ番組の放送チャンネルや放送時間帯等の情報を入力し、それら入力した情報を録画装置へ転送するようになっている。テレビ番組の放送チャンネルや放送時間帯等は、一般に、新聞や雑誌のテレビ欄にテレビ番組表として掲載されている。また、テレビ番組表は、近年では、インターネット上にも電子番組ガイド（ＥＰＧ）として配信されており、電子番組ガイドでは、所望の番組をキーワード等により検索できるようになっている。ユーザは、これら新聞や雑誌、インターネット上から視聴したいテレビ番組を探し出し、そのテレビ番組の放送チャンネルや放送時間帯等の情報を録画操作用リモコンの操作キーを操作して入力し、タイマ予約録画の設定を行っている。
【０００３】
一方、近赤外線リモコンシステムに関し、近赤外線リモコンにケーブルを介して携帯電話を接続しておき、この携帯電話に対して別の携帯電話から電話をかけ、別の携帯電話を操作することにより遠隔地から近赤外線リモコンを動作させて電気機器を制御可能としたものが知られている（例えば、特許文献１参照）。また、リモコン機能付き携帯電話機に関し、所望の電気製品のリモコン仕様データをインターネット上にあるサーバから取得し、電気製品の制御内容と携帯電話機のキーパネルとの対応関係をディスプレイに表示し、キーパネルの操作により、そのキーパネルと対応関係にある電気製品の制御を行うための赤外線リモコン信号を送出するようにしたものが知られている（例えば、特許文献２参照）。
【０００４】
【特許文献１】
特開２００１−２７５１７２号公報
【特許文献２】
特開２００１−２３７９２５号公報
【０００５】
【発明が解決しようとする課題】
ところが、上述した従来の録画操作用リモコンでは、タイマ予約録画の設定を行うには、テレビ番組の放送チャンネルや放送時間帯等のタイマ予約録画のための番組情報をユーザ自らが操作キーを操作してキー入力しなければならず、タイマ予約録画の設定操作が面倒であった。なお、上述した特許文献１、及び特許文献２に開示の内容を適用したとしても、上述の課題を解決することはできない。
【０００６】
本発明は、上記課題を解決するためになされたものであり、携帯電話機を接続可能とし、タイマ予約録画のための番組情報をインターネット上から携帯電話機を経由してダウンロードすることにより、タイマ予約録画に必要な番組情報のキー入力操作を不要とし、また、携帯電話機の接続を簡単な構造で実現できる録画操作用リモコンを提供することを目的とする。
【０００７】
【課題を解決するための手段】
上記目的を達成するために請求項１の発明は、テレビ放送番組の録画を行う録画装置によるタイマ予約録画のためにユーザにより操作される操作キーと、この操作キーの操作に基づいてタイマ予約録画のための予約信号を生成し記憶する記憶手段と、予約信号を操作キーの操作に応じて録画装置に転送する信号転送手段とを備えた録画操作用リモコンにおいて、リモコン本体の一端側に軸支されて回転により開閉自在とされた蓋部と、タイマ予約録画のための番組情報を通信により取得可能な携帯電話機のデータ通信用の信号出力端子を接続するためのコネクタとを備え、コネクタは、蓋部の内面に設けられ、蓋部が開けられたとき露出するように配置されており、蓋部は、コネクタに接続される携帯電話機の姿勢を保持させるための仕切壁を有しており、携帯電話機からコネクタを通じて、タイマ予約録画のための番組情報をリモコン本体側に転送すると共に、この番組情報から予約信号を生成し、記憶手段に記憶するようにしたものである。
【０００８】
この構成においては、録画操作用リモコンの蓋部を開くとコネクタが露出し、そのコネクタに携帯電話機のデータ通信用の信号出力端子を接続できる。コネクタに接続された携帯電話機は、蓋部に設けられた仕切壁により、その姿勢が保持される。コネクタに携帯電話機を接続し、携帯電話機にてタイマ予約録画のための番組情報を例えばインターネット上からダウンロードすることにより、携帯電話機にて取得したタイマ予約録画のための番組情報をコネクタを通じて転送することができる。蓋部を閉じると、コネクタはリモコン本体内に収納される。
【０００９】
請求項２の発明は、テレビ放送番組の録画を行う録画装置によるタイマ予約録画のためにユーザにより操作される操作キーと、この操作キーの操作に基づいてタイマ予約録画のための予約信号を生成し記憶する記憶手段と、予約信号を操作キーの操作に応じて録画装置に転送する信号転送手段とを備えた録画操作用リモコンにおいて、タイマ予約録画のための番組情報を通信により取得可能な携帯電話機のデータ通信用の信号出力端子を接続するためのコネクタを備え、携帯電話機からコネクタを通じて、タイマ予約録画のための番組情報をリモコン本体側に転送するようにしたものである。
【００１０】
この構成においては、コネクタに携帯電話機のデータ通信用の信号出力端子を接続し、携帯電話機にてタイマ予約録画のための番組情報を例えばインターネット上からダウンロードすることにより、携帯電話機にて取得したタイマ予約録画のための番組情報をコネクタを通じて転送することができる。
【００１１】
請求項３の発明は、請求項２に記載の録画操作用リモコンにおいて、開閉自在とされた蓋部をさらに備え、コネクタは、蓋部の内面又はリモコン本体に設けられ、蓋部が開けられたとき露出するように配置されているものである。
【００１２】
この構成においては、録画操作用リモコンの蓋部を開くとコネクタが露出し、そのコネクタに携帯電話機のデータ通信用の信号出力端子を接続できる。蓋部を閉じると、コネクタはリモコン本体内に収納される。
【００１３】
【発明の実施の形態】
以下、本発明を具体化した実施形態について図面を参照して説明する。まず、第１の実施形態に係る録画操作用リモコンを用いた録画システムついて説明する。図１において、録画操作用リモコン１は、テレビ放送番組を録画するビデオテープレコーダやＰＶＲ（プライベートビデオレコーダ）等の録画装置３０の動作を制御するものである。インターネット６０には、テレビ番組の放送チャンネルや放送時間帯等の情報を配信する電子番組ガイドサイトを管理するサーバ６１が接続されており、携帯電話機５０は、公衆回線６２を通じてＩＳＰ（Ｉｎｔｅｒｎｅｔ  Ｓｅｒｖｉｃｅ  Ｐｒｏｖｉｄｅｒ）６３に接続し、インターネット６０を介してサーバ６１上の電子番組ガイドサイトにアクセスすることにより、テレビ番組の放送チャンネルや放送時間帯等の番組情報をダウンロードできるようになっている。録画操作用リモコン１は、携帯電話機５０にて取得したテレビ番組の放送チャンネルや放送時間帯等のタイマ予約録画に必要な番組情報の転送を受け、その転送された番組情報から録画装置３０のタイマ予約録画の設定を行うための予約信号を生成し、その予約信号を録画装置３０に転送して録画装置３０のタイマ予約録画を設定できる機能を有している。
【００１４】
録画操作用リモコン１について説明する。図２（ａ）（ｂ）及び図３において、録画操作用リモコン１は、リモコン本体２の上面にユーザにより操作される操作キー３と各種表示を行う液晶表示部４とを備え、リモコン本体２の先端に録画装置３０の動作を制御するための各種信号を送出する送信部（信号転送手段）５を備えている。また、録画操作用リモコン１は、リモコン本体２の底面に開閉自在な蓋部６を備え、この蓋部６の内面に携帯電話機５０のデータ通信用の信号出力端子５１を接続するためのコネクタ８を備えている。
【００１５】
蓋部６は、リモコン本体２の下端側にて回動機構７により軸支され、回転によりリモコン本体２の底面に開閉自在とされており、その左右両側縁に、コネクタ８に接続される携帯電話機５０の姿勢を保持させるための仕切壁９ａ、９ｂを有している。コネクタ８は、蓋部６を閉じているときには外から隠れ、蓋部６を開いたときに露出するように蓋部６の内面に設けられている。コネクタ８に接続された携帯電話機５０は、録画操作用リモコン１の蓋部６の内面及び仕切壁９ａ、９ｂと接触することにより、姿勢が安定した状態に保持される。
【００１６】
操作キー３は、電源キー３ａと、テンキー３ｂと、コマンドキー３ｃと、取込キー３ｄと、転送キー３ｅとを有している。電源キー３ａは、録画装置３０の電源をオン／オフするためのキーである。テンキー３ｂは、テレビ番組の放送チャンネルや放送時間帯等のタイマ予約録画に必要な番組情報を入力するためのキーである。コマンドキー３ｃは、録画の開始／停止、録画映像の再生の開始／停止等を指示するためのキーである。取込キー３ｄは、テレビ番組の放送チャンネルや放送時間帯等のタイマ予約録画に必要な番組情報を携帯電話機５０から転送するためのキーである。転送キー３ｅは、テンキー３ｂにより入力された番組情報及び携帯電話機５０から転送された番組情報に基づいて生成されたタイマ予約録画のための予約信号を録画装置３０へ転送するためのキーである。
【００１７】
次に、上記録画操作用リモコン１の電気的ブロック構成を図４に示す。録画操作用リモコン１は、録画操作用リモコン１の制御を司るＣＰＵ１０を備えており、このＣＰＵ１０には、上述した操作キー３、液晶表示部４、送信部５、及びコネクタ８に加え、ＲＯＭ１１、信号生成部１２、及びＲＡＭ１３が接続されている。信号生成部１２及びＲＡＭ１３により記憶手段が構成されている。
【００１８】
ＲＯＭ１１は、ＣＰＵ１０の動作プログラムを格納しており、ＣＰＵ１０は、ＲＯＭ１０に格納されている動作プログラムに基づいて、上記各部の動作を制御する。操作キー３の各キーが押下操作されると、その操作に対応する信号がＣＰＵ１０に入力される。液晶表示部４は、ＣＰＵ１０による制御のもと、操作キー３の操作に応じて各種表示を行う。送信部５は、ＣＰＵ１０による制御のもと、操作キー３の操作に応じて、録画装置３０の動作を制御するための各種信号を赤外線信号で送出する。コネクタ８は、携帯電話機５０のデータ通信用の信号出力端子５１が接続され、このコネクタ８を通じて、携帯電話機５０との間で各種信号が送受信される。
【００１９】
信号生成部１２は、ＣＰＵ１０による制御のもと、テンキー３ｂの操作により入力されたテレビ番組の放送チャンネルや放送時間帯等の番組情報に基づいて、タイマ予約録画のための予約信号を生成する。このタイマ予約録画のための予約信号は、録画チャンネルや録画開始時刻、録画終了時刻等の情報を含んだ信号である。また、信号生成部１２は、ＣＰＵ１０による制御のもと、コネクタ８を通じて携帯電話機５０から転送されたテレビ番組の放送チャンネルや放送時間帯等の番組情報に基づいて、タイマ予約録画のための予約信号を生成する。ＲＡＭ１３は、信号生成部１２にて生成されたタイマ予約録画のための予約信号を一時的に記憶する。
【００２０】
ＣＰＵ１０は、電源キー３ａが押下操作されると、録画装置３０の電源をオン／オフするための電源オン／オフ信号を送信部５へ出力する。これにより、電源オン／オフ信号が送信部５から録画装置３０へ送出される。また、ＣＰＵ１０は、コマンドキー３ｃが操作されると、その操作に応じて、録画の開始／停止、録画映像の再生の開始／停止等を行うための各種動作信号を送信部５へ出力する。これにより、各種動作信号が送信部５から録画装置３０へ送出される。
【００２１】
また、ＣＰＵ１０は、テンキー３ｂが操作されてテレビ番組の放送チャンネルや放送時間帯等のタイマ予約録画に必要な番組情報が入力されると、その番組情報を液晶表示部４に表示すると共に、その番組情報に基づいて信号生成部１２にてタイマ予約録画のための予約信号を生成させ、その予約信号をＲＡＭ１３に記憶する。また、ＣＰＵ１０は、取込キー３ｄが押下されると、コネクタ８に接続される携帯電話機５０に対して、コネクタ８を通じてテレビ番組の放送チャンネルや放送時間帯等の番組情報の転送を要求する転送要求信号を送信する。そして、コネクタ８を通じて携帯電話機５０からテレビ番組の放送チャンネルや放送時間帯等のタイマ予約録画に必要な番組情報を受信すると、その番組情報を液晶表示部４に表示すると共に、その番組情報に基づいて信号生成部１２にてタイマ予約録画のための予約信号を生成させ、その予約信号をＲＡＭ１３に記憶する。その後、ＣＰＵ１０は、転送キー３ｅが押下操作されると、ＲＡＭ１３に記憶している予約信号を読出して送信部５へ出力する。これにより、タイマ予約録画のための予約信号が送信部５から録画装置３０へ転送される。
【００２２】
次に、携帯電話機５０による番組情報の取得手順、及び録画操作用リモコン１によるタイマ予約録画の設定手順について、図５（ａ）（ｂ）及び図６（ａ）（ｂ）を参照して説明する。携帯電話機５０による番組情報の取得は、まず、携帯電話機５０の操作キー５２を操作し、公衆回線６２を通じてＩＳＰ６３に接続して、インターネット６０を介してサーバ６１上の電子番組ガイドサイトにアクセスする（＃１）。これにより、電子番組ガイドが携帯電話機５０に配信され、携帯電話機５０の表示部５３には、例えば、図６（ａ）に示すように、電子番組ガイドの画面が表示される。この電子番組ガイドの表示画面には、テレビ番組の放送日又はジャンルを選択するための選択画面が表示される。
【００２３】
次に、携帯電話機５０の操作キー５２を操作して、表示部５３に表示されている中から所望の日付又はジャンルを選択する（＃２）。図示の例では、ジャンル別の「スポーツ」を選択している。これにより、携帯電話機５０の表示部には、例えば、図６（ｂ）のように、スポーツ番組のタイトル、放送チャンネル、放送日時等の情報が一覧表示される。
【００２４】
そして、携帯電話機５０の操作キー５２を操作して、表示部５３に表示されている中から所望のテレビ番組を選択する（＃３）。図示の例では、「プロ野球日本シリーズ」を選択している。これにより、所望のテレビ番組の放送チャンネルや放送時間帯等のタイマ予約録画に必要な番組情報が携帯電話機５０にダウンロードされ、携帯電話機５０による番組情報の取得が完了する。
【００２５】
録画操作用リモコン１によるタイマ予約録画の設定は、まず、録画操作用リモコン１の蓋部８を開くと、コネクタ８が現れ、そのコネクタ８に携帯電話機５０のデータ通信用の信号出力端子５１を接続する（＃４）。次に、録画操作用リモコン１の取込キー３ｄを押下操作する（＃５）。これにより、録画操作用リモコン１から携帯電話機５０に転送要求信号が送出され、携帯電話機５０は、この転送要求信号を受けて、表示部５３上で選択されているテレビ番組（今の場合「プロ野球日本シリーズ」）の放送チャンネルや放送時間帯等の番組情報を録画操作用リモコン１に転送する。このとき、転送された番組情報は録画操作用リモコン１の液晶表示部４に表示され、また、転送された番組情報に基づいて録画操作用リモコン１の信号生成部１２にてタイマ予約録画のための予約信号が生成される。
【００２６】
そして、録画操作用リモコン１の転送キー３ｅを押下操作する（＃６）。これにより、携帯電話機５０から転送された番組情報に基づいて生成されたタイマ予約録画のための予約信号が録画装置３０に転送される。録画装置３０では、このタイマ予約録画のための予約信号に基づいて、録画チャンネルや録画開始時刻、録画終了時刻等がセットされてタイマ予約録画が設定が完了する。
【００２７】
このように、上記構成の録画操作用リモコン１によれば、リモコン本体２の底面の蓋部６を開いてコネクタ８に携帯電話機５０を接続するとにより、携帯電話機５０にて取得したテレビ番組の放送チャンネルや放送時間帯等のタイマ予約録画に必要な番組情報を携帯電話機５０から得ることができる。そして、この番組情報に基づいて生成されたタイマ予約録画のための予約信号を録画装置３０へ転送することにより、放送チャンネルや放送時間帯等のタイマ予約録画に必要な番組情報をテンキー３ｂによりキー入力することなくタイマ予約録画の設定を行うことができる。
【００２８】
次に、第２の実施形態について図７を参照して説明する。本実施形態では、録画操作用リモコン１は、リモコン本体２にコネクタ８を備えている。コネクタ８は、蓋部６を閉じているときには外から隠れ、蓋部６を開いたときに露出するようにリモコン本体２の底面に設けられている。本実施形態における他の構成については、上記の実施形態における構成と同様である。本実施形態によっても、上記の実施形態と同様に、コネクタ８に携帯電話機を接続することにより、携帯電話機にて取得したタイマ予約録画に必要な番組情報を携帯電話機５０から得ることができ、放送チャンネルや放送時間帯等のタイマ予約録画に必要な番組情報をキー入力することなくタイマ予約録画の設定を行うことができる。
【００２９】
次に、第３の実施形態について図８を参照して説明する。本実施形態では、録画操作用リモコン１は、リモコン本体２にコネクタ８を備えている。また、蓋部６は、スライドしてリモコン本体２から開閉自在とされている。この蓋部６は、係合片２１ａが孔部２１に係合し、蓋部６の両側縁に設けられた１対の係合片２２ａ（一方のみを図示）がリモコン本体２に設けられた１対の孔部２２ｂ（一方のみを図示）に係合することで、リモコン本体２に装着されてリモコン本体２の底面を閉じる。コネクタ８は、蓋部６を閉じているときには外から隠れ、蓋部６を開いたときに露出するようにリモコン本体２の底面に設けられている。本実施形態における他の構成については、上記の実施形態における構成と同様である。本実施形態によっても、上記の実施形態と同様に、コネクタ８に携帯電話機を接続することにより、携帯電話機にて取得したタイマ予約録画に必要な番組情報を携帯電話機５０から得ることができ、放送チャンネルや放送時間帯等のタイマ予約録画に必要な番組情報をキー入力することなくタイマ予約録画の設定を行うことができる。
【００３０】
なお、本発明は、上記実施形態の構成に限られず、種々の変形が可能である。例えば、上記実施形態において、蓋部をリモコン本体の上面側に開閉自在とし、この蓋部が開けられたときに露出するようにコネクタを蓋部の内面又はリモコン本体に配置してもよい。また、携帯電話機５０から転送された番組情報に基づいて生成したタイマ予約録画のための予約信号は、転送キーの押下操作によらず、自動的に録画装置３０へ転送するようにしてもよい。また、携帯電話機５０にて電子番組ガイドサイトにアクセスした後、電子番組ガイドから得られる情報を全て録画操作用リモコン１へ転送し、それらの情報を用いて録画操作用リモコン１の液晶表示部４にて図６（ａ）（ｂ）に示したのと同様な表示を行い、録画操作用リモコン１の操作キー３を操作して、所望のテレビ番組を選択するようにしてもよい。
【００３１】
【発明の効果】
以上説明したように請求項１の発明によれば、携帯電話機を接続するためのコネクタを備え、携帯電話機にてインターネット経由などによりダウンロードして取得したタイマ予約録画のための番組情報を転送することができるため、転送した情報に基づいてタイマ予約録画のための予約信号を生成し録画装置へ転送することにより、タイマ予約録画のための番組情報をキー入力するという面倒な操作が不要となり、容易な操作でタイマ予約録画の設定を行うことができる。また、コネクタは、回転により開閉自在とされた蓋部の内面に設けられているため、携帯電話機を接続しないときにはリモコン本体内に収納され、これにより、コネクタが損傷することがない。さらに、蓋部は、コネクタに接続される携帯電話機の姿勢を保持させるための仕切壁を有しているため、簡単な構造により、携帯電話のコネクタへの安定した確実な接続を実現することができる。
【００３２】
請求項２の発明によれば、携帯電話機を接続するためのコネクタを備え、携帯電話機にてインターネット経由などによりダウンロードして取得したタイマ予約録画のための番組情報を転送することができるため、転送した情報に基づいてタイマ予約録画のための予約信号を生成し録画装置へ転送することにより、タイマ予約録画のための情報をキー入力するという面倒な操作が不要となり、容易な操作でタイマ予約録画の設定を行うことができる。
【００３３】
請求項３の発明によれば、コネクタは、蓋部の内面又はリモコン本体に設けられ、蓋部が開けられたとき露出するように配置されているため、携帯電話機を接続しないときにはリモコン本体内に収納され、これにより、コネクタが損傷することがない。
【図面の簡単な説明】
【図１】本発明の一実施形態による録画操作用リモコンを用いた録画システムの概略構成を示すシステム構成図。
【図２】（ａ）は同リモコンの概略構成を示す上面側から見た斜視図、（ｂ）は同底面側から見た斜視図。
【図３】同リモコンの構成を示す蓋部を開いた状態の底面側から見た斜視図。
【図４】同リモコンの構成を示す電気的ブロック構成図。
【図５】（ａ）は携帯電話機５０による番組情報の取得手順を示すフローチャート、（ｂ）は上記リモコンによるタイマ予約録画の設定手順を示すフローチャート。
【図６】（ａ）（ｂ）は携帯電話機による電子番組ガイドの表示画面の例を示す図。
【図７】本発明の別の実施形態による録画操作用リモコンの概略構成を示す蓋部を開いた状態の底面側から見た斜視図。
【図８】本発明のさらに別の実施形態による録画操作用リモコンの概略構成を示す蓋部を開いた状態の底面側から見た斜視図。
【符号の説明】
１  録画操作用リモコン
２  リモコン本体
３  操作キー
５  送信部（信号転送手段）
６  蓋部
８  コネクタ
１２  信号生成部（信号生成・記憶手段）
１３  ＲＡＭ（信号生成・記憶手段）
３０  録画装置
５０  携帯電話機
５１  信号出力端子
【図１】
2004180093.tif 000003
【図２】
2004180093.tif 000004
【図３】
2004180093.tif 000005
【図４】
2004180093.tif 000006
【図５】
2004180093.tif 000007
【図６】
2004180093.tif 000008
【図７】
2004180093.tif 000009
【図８】
2004180093.tif 000010